(57)【要約】  【課題】簡素な構造を用いて、配線カバーを簡単に脱着可能に構成した配線カバー装置を提供する。  【解決手段】開閉操作可能な配線カバー２と、天板Ｔにおける前記配線空間ＤＳと連通する部位に設けられ前記配線カバー２を脱着可能に支持するカバー受け部３とを具備してなり、前記配線カバー２を前記カバー受け部３に載置し自重により支持させた状態で、この配線カバー２が、その上面４１を天板Ｔ（天板要素Ｔ１）の上面と略面一とし配線空間ＤＳを閉止し得る倒伏姿勢と、その開放端側を天板Ｔ（天板要素Ｔ１）の上面よりも上方に突出させて配線空間ＤＳを開放し得る起立姿勢とのいずれかを選択的に取り得るように構成した。【選択図】図９
2005102927.tif 000002
【特許請求の範囲】
【請求項１】
天板付家具における天板の下方に形成される配線空間を上方から覆い得る位置に配置される配線カバー装置であって、
開閉操作可能な配線カバーと、前記天板における前記配線空間と連通する部位に設けられ前記配線カバーを脱着可能に支持するカバー受け部とを具備してなり、
前記配線カバーを前記カバー受け部に載置し自重により支持させた状態で、当該配線カバーが、その上面を天板の上面と略面一とし前記配線空間を閉止し得る倒伏姿勢と、その開放端側を天板の上面よりも上方に突出させて前記配線空間を開放し得る起立姿勢とのいずれかを選択的に取り得るように構成していることを特徴とする配線カバー装置。
【請求項２】
前記配線カバーを、前記カバー受け部に対して回動可能に支持せさ、当該カバー受け部に、前記配線カバーの前記倒伏姿勢と起立姿勢との間における回動動作の支点となる回動支持部を設けている請求項１記載の配線カバー装置。
【請求項３】
前記配線カバーの前記カバー受け部に対する回動動作がシーソー動作を伴うものである請求項１又は２記載の配線カバー装置。
【請求項４】
前記配線カバーの前記倒伏姿勢と起立姿勢との間の回動方向と、前記配線カバーを前記カバー受け部から取り外す抜出方向とを異ならせている請求項１、２又は記載の配線カバー装置。
【請求項５】
前記起立姿勢への回動終端位置に位置する前記配線カバーを、所定方向にスライド移動させることにより、配線カバーの前記倒伏姿勢への回動動作を規制するように構成している請求項１、２、３又は４記載の配線カバー装置。
【請求項６】
前記天板に前記配線空間に連通する配線挿通路を形成し、前記カバー受け部に設けた回動支持部を当該配線挿通路の周壁に沿った略板状のものとしている請求項２、３、４又は５記載の配線カバー装置。
【請求項７】
前記配線カバーを前記倒伏姿勢と前記起立姿勢との間の所定の回動姿勢で一時的に静止させ得る静止手段を備えている請求項１、２、３、４、５又は６記載の配線カバー装置。
【請求項８】
前記静止手段が、前記回動支持部の一部を窪ませてなる固定係合要素と、前記配線カバーに設けられ前記固定係合要素に係合可能な可動係合要素とからなり、前記配線カバーを回動させ前記可動係合要素を前記固定係合要素に係合させることにより配線カバーを所定の回動姿勢で静止させ得るように構成している請求項７記載の配線カバー装置。
【請求項９】
前記配線カバーを前記起立姿勢において前記回動支持部に載置している請求項２、３、４、５、６、７又は８記載の配線カバー装置。
【請求項１０】
前記天板に前記配線空間に連通する配線挿通路を形成し、前記カバー受け部に、当該配線挿通路の下縁から内側へ該配線挿通路を塞ぐことなく突出して前記配線カバーの脱落を防止する脱落防止部を設け、配線カバーを前記倒伏姿勢において前記脱落防止部に載置している請求項１、２、３、４、５、６、７、８又は９記載の配線カバー装置。
【請求項１１】
前記配線カバーに、一部を切り欠いてなる操作部を設け、当該操作部を利用して配線カバーを回動操作可能に構成するとともに、前記倒伏姿勢において前記操作部から配線コード等のコード類が挿通し得るように構成している請求項１、２、３、４、５、６、７、８、９又は１０記載の配線カバー装置。
【発明の詳細な説明】
【技術分野】
【０００１】
本発明は、天板に取り付けてその下方の配線空間を覆い得る配線カバー装置に関するものである。
【背景技術】
【０００２】
近年、デスク等の天板付家具の天板上でコンピュータワークが行われることが多く、通信コードや電源コード等のコード類を天板の下方に落とし込むために、天板にはその下方の配線空間に連通する配線挿通路を形成しているものが一般的である。そして、従来より、前記配線空間を上方から覆い得る位置に配置される種々の配線カバー装置が考えられている。例えば、その一例として、天板の一部に配線空間に連通する切欠部等の配線挿通路を形成し、この配線挿通路の両側端部に水平姿勢で対向するように突設した円柱状の支持ピン（以下、支持軸）に、配線カバーの回転端側に設けたピン受け（以下、軸受け）を係合させて取り付け、支持軸を支点にして配線カバーを回動させることにより、配線挿通路を開閉可能に構成したものが考えられている（例えば特許文献１参照）。この配線カバー装置は、配線カバーを所定の回動姿勢に位置付けた場合に、支持軸と軸受けとの係合状態を解除して配線カバーを取り外すことができ、配線挿通路を全面的に開放することもできるように構成されている。
【特許文献１】特開２００３−２３５６４９号公報（第１〜４頁、第４図〜第７図）
【発明の開示】
【発明が解決しようとする課題】
【０００３】
ところが、上記のようなものは、支持軸を配線挿通路内に固定し、これに付随して配線カバーにも軸受けを設けなければならず、構造が複雑なものとなり、製作工程の複雑化、コストの増加を招来するという不具合が生じる。また、配線カバーの回動姿勢が所定の姿勢を取る場合にのみ、支持軸と軸受けとの係合状態を解除することができる構造となっているため、取外し作業を容易に行うことができない。加えて、配線挿通路を全面的に開放した状態から、配線挿通路を閉止したい場合には、配線カバーを前記所定の回動姿勢に位置付け、その回動姿勢を保持した状態で軸受けを配線カバーに係合させることにより、配線カバーを取り付ける構造であるため、取付作業も面倒である。このように、従来のものは、配線カバーの脱着作業を簡単に行うことができず、今ひとつ使い勝手に優れないものである。また、取付・取外し作業を繰り返すうちに、支持軸又は軸受けが損傷し、良好な取付状態を維持できないという問題も起こり得る。さらに、支持軸が配線挿通路内に固定されているため、支持軸の存在自体が配線作業の障害になることも不具合として挙げられる。
【０００４】
本発明は、このような課題に着目してなされたものであって、主たる目的は、簡素な構造を用いて、配線カバーの脱着作業を簡単に行うことができる配線カバー装置を提供することにある。
【課題を解決するための手段】
【０００５】
すなわち、本発明の配線カバー装置は、天板付家具における天板の下方に形成される配線空間を上方から覆い得る位置に配置されるものであって、開閉操作可能な配線カバーと、前記天板における前記配線空間と連通する部位に設けられ前記配線カバーを脱着可能に支持するカバー受け部とを具備してなり、前記配線カバーを前記カバー受け部に載置し自重により支持させた状態で、この配線カバーが、その上面を天板の上面と略面一とし前記配線空間を閉止し得る倒伏姿勢と、その開放端側を天板の上面よりも上方に突出させて前記配線空間を開放し得る起立姿勢とのいずれかを選択的に取り得るように構成していることを特徴とする。
【０００６】
このようなものであれば、従来のものと比較して、支持軸を設ける必要がなく簡素な構造を用いることができ、製作工程の簡素化、コストの削減に資する。また、配線カバーをカバー受け部に載置しているだけであるため、配線カバーの取る姿勢に関係なく、配線カバーを容易に取り外すことができるとともに、配線カバーの取り付けも単にカバー受け部に載置することだけでよい。このように、配線カバーの脱着作業を極めて簡単に行うことができ、使い勝手に優れたものとなる。さらに、倒伏姿勢及び起立姿勢において配線カバーが自重により支持されているため、安定した装着状態を実現することができ、上記のような簡素な構造でありながら配線作業や、天板上での作業に支障を来たすことはなく実用性に優れたものとなる。
【０００７】
配線カバーを安定的に支持しつつ倒伏姿勢と起立姿勢との間における回動動作を安定かつスムーズなものとするためには、前記配線カバーを、前記カバー受け部に対して回動可能に支持せさ、このカバー受け部に、前記配線カバーの前記倒伏姿勢と起立姿勢との間における回動動作の支点となる回動支持部を設けているものが望ましい。
【０００８】
前記配線カバーの前記カバー受け部に対する回動動作がシーソー動作を伴うものであれば、バランスを取りながら回動するため、より安定した回動動作を実現することができる。
【０００９】
前記配線カバーの前記倒伏姿勢と起立姿勢との間の回動方向と、前記配線カバーを前記カバー受け部から取り外す抜出方向とを異ならせていれば、倒伏姿勢を取る前記配線カバーを回転させて起立姿勢に位置させた場合に配線カバーが抜け落ちることを防止することができる。
【００１０】
簡単な操作で、起立姿勢を取る配線カバーの回動動作を規制し、良好な起立姿勢を維持するには、配線カバーの前記起立姿勢への回動終端位置に位置する前記配線カバーを、所定方向にスライド移動させることにより、配線カバーの前記倒伏姿勢への回動動作を規制するように構成すればよい。
【００１１】
さらに、前記天板に前記配線空間に連通する配線挿通路を形成し、前記カバー受け部に設けた回動支持部を当該配線挿通路の周壁に沿った略板状のものとしていれば、配線カバーの安定した回動動作を実現するとともに、その配線カバーの動作のための構成によっても配線挿通路が不当に狭められることがないようにすることが可能である。
【００１２】
加えて、前記配線カバーを前記倒伏姿勢と前記起立姿勢との間の所定の回動姿勢で一時的に静止させ得る静止手段を備えていれば、倒伏姿勢と起立姿勢との２態様のみならず、その間の所定位置で配線カバーの回動姿勢を選択できるため、ワーカーの使用態様に対応させて配線カバーの回動姿勢を段階的に調節することができる。
【００１３】
前記静止手段の具体的な実施態様としては、前記回動支持部の一部を窪ませてなる固定係合要素と、前記配線カバーに設けられ前記固定係合要素に係合可能な可動係合要素とからなり、前記配線カバーを回動させ前記可動係合要素を前記固定係合要素に係合させることにより配線カバーを所定の回動姿勢で静止させ得るように構成していることが好ましい。このようなものであれば、静止手段を簡素な構成で実現することができ、且つ簡単な操作で配線カバーを所定位置に静止させることができる。
【００１４】
起立姿勢においても配線カバーの脱落を有効に防止し、良好な支持状態を実現するためには、前記配線カバーを前記起立姿勢において前記回動支持部に載置するようにすればよい。
【００１５】
一方、倒伏姿勢において配線カバーの脱落を有効に防止し、良好な支持状態を実現するためには、前記カバー受け部に、前記配線挿通路の下縁から内側へ当該配線挿通路を塞ぐことなく突出して前記配線カバーの脱落を防止する脱落防止部を設け、配線カバーを前記倒伏姿勢において前記脱落防止部に載置するように構成するとよい。
【００１６】
特に、配線カバーの上面側に突出物を設けることなくその操作性を向上させるとともに、配線カバーを倒伏状態としても天板の上面側と配線挿通路との間を配線コード等のコード類が通過し得るようにするためには、前記配線カバーに、一部を切り欠いてなる操作部を設け、この操作部を利用して配線カバーを回動操作可能に構成するとともに、前記倒伏姿勢において前記操作部からコード類が挿通し得るように構成すればよい。
【発明の効果】
【００１７】
以上説明したように本発明の配線カバー装置によれば、天板における配線空間に連通する部位に支持軸を設ける必要がなく、従来のものと比較して簡素な構造を採用することができ、製作工程の簡素化、コストの削減に資する。また、倒伏姿勢及び起立姿勢において配線カバーをカバー受け部に載置しているだけであるため、何れの姿勢においてもワーカーの使用態様に対応して配線カバーの脱着作業を容易に行うことができる。加えて、倒伏姿勢及び起立姿勢において配線カバーが自重により支持されているため、安定した装着状態を実現することができる。
【発明を実施するための最良の形態】
【００１８】
以下、本発明の一実施形態を、図面を参照して説明する。
【００１９】
本発明に係る配線カバー装置１は、図１及び図２等に示すように、例えばオフィスフロア内に配置される天板付家具たるテーブルＸに適用されるものである。
【００２０】
先ず、このテーブルＸについて簡単に説明しておくと、このテーブルＸは、例えば、自席が限定されない所謂フリーアドレス型のオフィスにおいて用いられる大型のテーブルであり、天板Ｔと、この天板Ｔを支持する支持脚Ｆと、天板Ｔの下方に配置されコンセントボックスやコード類を収容する配線ダクトＤとを主体としてなるものである。
【００２１】
天板Ｔは、複数の天板要素Ｔ１から構成してある。各天板要素Ｔ１は、平面視略矩形状をなす板材からなるもので、ワーカーの着座する側の縁を使用縁Ｔ１ａとし、その反対側を反使用縁Ｔ１ｂとしている。そして、この天板要素Ｔ１の反使用縁Ｔ１ｂ同士を対向させて配置してなる一対の天板要素Ｔ１を複数用いて、それぞれ一対の天板要素Ｔ１の隣接する側縁同士を当接または近接させて配置することで、天板Ｔ全体の奥行き方向中央部に各天板要素Ｔ１の反使用縁Ｔ１ｂを集合させ、且つ奥行き方向両端部に各天板要素Ｔ１の使用縁Ｔ１ａを位置付けている。一対の天板要素Ｔ１をそれらの反使用縁Ｔ１ｂ同士の間に所定幅の間隙ＴＳを空けて配置してある。この間隙ＴＳは、配線ダクトＤの配線空間ＤＳに連通し、その幅が、ＬＡＮケーブルや配線コード等のコード類Ｃが挿通可能な幅に設定されている。各天板要素Ｔ１の反使用縁Ｔ１ｂには、配線ダクトＤの配線空間ＤＳに連通する本発明の配線挿通路Ｓの一部となる切欠部ＴＫを形成している。各切欠部ＴＫは、いずれも天板要素Ｔ１の反使用縁Ｔ１ｂおける略中央部を外方へ開放するように概略長方形状切り欠いたものであり、前記間隙ＴＳにも連通するように形成されている。そして、前後一対の天板要素Ｔ１に形成した各切欠部ＴＫと、間隙ＴＳのうち前記切欠部ＴＫ間の部位（図２において想像線で示す）とによって平面視略正方形状の配線挿通路Ｓを構成している（同図参照）。
【００２２】
支持脚Ｆは、天板Ｔの両側縁部の前後を下方から支持するものであり、下端部にアジャスタを備えた周知のものを適用している。また、天板Ｔの略中央部に図示しない中間脚を設け、これら各脚及び図示しないフレーム等により天板Ｔを支持している。
【００２３】
配線ダクトＤは、上方に開放した配線空間ＤＳを有するものであり、天板Ｔの奥行き方向中央部、すなわち前後方向に対をなす天板要素Ｔ１の反使用縁Ｔ１ｂの下方に配置されている。そして、前記配線空間ＤＳを上方から覆い得る位置に配線カバー装置１を配置している。なお、配線ダクトＤには、配線空間ＤＳを下方に開放する孔を部分的に形成してある（図示省略）。
【００２４】
配線カバー装置１は、図３に図示するように、開閉操作可能な配線カバー２と、前記配線空間ＤＳと連通する部位、すなわち、天板要素Ｔ１に形成した切欠部ＴＫに設けられ配線カバー２を着脱可能に支持するカバー受け部３とを備えたものである。
【００２５】
配線カバー２は、図４乃至図７に示すように、前記切欠部ＴＫの内法形状に略対応した概略長方形状の平面視形状を有するカバー本体４と、カバー本体４の下面に一体的に取り付けられる裏当て部材５とから構成されている。
【００２６】
カバー本体４は、図５（同図（ａ）はカバー本体の平面図、（ｂ）は同正面図、（ｃ）は同側面図）に示すように、例えば一枚の金属性素材を折り曲げ成形したものであり、切欠部ＴＫの内法幅寸法及び内法奥行き寸法に対応する幅寸法及び奥行き寸法を有する平面視略矩形状の上板部４１と、上板部４１の後縁から垂下させた垂下片４２と、垂下片４２の下端から上板部４１と平行をなすように前方に向かって延びる前方延出片４３とからなる。さらに、上板部４１の前縁における略中央部位を部分円弧状に切り欠いて開口部５１ａを形成している。また、上板部４１と前方延出片４３との高さ方向に沿った外法寸法を各天板要素Ｔ１の厚み寸法に略対応させている。前方延出片４３は、垂下片４２の下端における両側端部近傍領域を除いた部位から前方に延出させたものであり、配線カバー２をカバー受け部３に装着した際に、前方延出片４３と後述するカバー受け部３の第１起立片３３又は第２起立片３４とが干渉しないように設定している。
【００２７】
裏当て部材５は、図６（同図（ａ）は裏当て部材の平面図、（ｂ）は同正面図、（ｃ）は同側面図）に示すように、例えば一枚の金属性素材を折り曲げ成形したものであり、カバー本体４の上板部４１における前縁部側の形状に略対応した形状をなし両側端部を後方に向かって他の領域より延出させてなる裏当て板部５１と、裏当て板部５１の前縁における両側端部近傍領域から若干前方に突出させその先端部を下方に折り曲げてなる一対の第１垂下片５２と、各第１垂下片５２の下端から裏当て板部５１と平行をなすように後方に向かって延びる後方延出片５３と、上板部５１の両側端において前端部側よりも若干外側方に突出する後端部側を下方に折り曲げて垂下させた一対の第２垂下片５４とからなる。さらに、裏当て板部５１の前縁略中央部位に、カバー本体４と同様に部分円弧状に切り欠いてなる開口部５１ａを形成している。第２垂下片５４の後縁から下縁に亘る角部を略クランク状に切り欠き、後述するカバー本体３の第１起立片３３、第２起立片３４に形成した凹部３３ａ、３４ａに係合可能な本発明の可動係合要素たる段部５４Ｄを形成している。
【００２８】
以上の構成を有するカバー本体４及び裏当て部材５は次のようにして一体的に取り付けられる。すなわち、カバー本体４の前縁と裏当て部材５の第１垂下片５２とを一致させるとともに、カバー本体４の側縁と裏当て部材５の第２垂下片５４とをそれぞれ一致させ、平面視において、裏当て部材５がカバー本体４に被覆されるようにカバー本体４の上板部４１の下面に、裏当て部材５の裏当て板部５１を重合させる（図７参照、同図（ａ）は配線カバーの平面図、（ｂ）は同正面図、（ｃ）は同側面図を示す）。その状態において、所定の複数箇所にスポット溶接を施すことによりカバー本体４と裏当て部材５とを剛結する。この取付状態において、カバー本体４の垂下片４２と裏当て部材５の第１垂下片５２とが前後に対向位置に配置され、カバー本体４の前方延出片４３と裏当て部材５の後方延出片５３とが略同一高さ位置に位置付けられる。そして、カバー本体４及び裏当て部材５の各前縁に形成され上下に重なり合った開口部４１ａ、５１ａにより、配線カバー２の回動動作を操作可能な操作部２ａを形成している。また、カバー本体４と裏当て部材５とを剛結してなるこの配線カバー２の重心が、裏当て部材５の第２垂下片５４に形成した段部５４Ｄの近傍に設定されるようにｓしてある。
【００２９】
カバー受け部３は、図８（同図（ａ）はカバー受け部の平面図、（ｂ）は同正面図、（ｃ）は同側面図）に図示するように、例えば一枚の金属性素材を折り曲げ成形したものであり、後縁側に天板要素Ｔ１の切欠部ＴＫの平面視形状に略対応した形状をなすように切り欠いた切欠部３１Ｋを有する平面視略コ字形のベース部３１と、ベース部３１の切欠部３１Ｋにおけるコーナー領域に沿って内方へ水平方向に突出させてなる左右一対の突出片３２と、ベース部３１において切欠部３１Ｋの両側縁における後端部を内方へ若干突出させその先端部を上方に折り曲げて形成される一対の第１起立片３３と、ベース部３１において切欠部３１Ｋの前縁における中央部を挟んだ位置から後方に若干突出させその先端部を上方に折り曲げてなる一対の第２起立片３４とからなる。また、ベース部３１の各側端部にボルト挿通孔３１ａを複数形成している。突出片３２は、平面視略Ｌ字形をなし、ベース部３１に連続して水平方向に延出させたものである。各第１起立片３３は、その上端部に、中央部位を窪ませて前記裏当て部材５の第２垂下片５４に設けた段部５４Ｄに係合され得る固定係合要素たる凹部３３ａを形成している。この凹部３３ａは、それぞれ部分円弧状をなして上方へ突出する第１凸部３３ｂ及び第２凸部３３ｃとの間に位置し、各凸部３３ｂ、３３ｃからベース部３１に対して略４５度の角度で斜め下方に傾斜し略９０度で相互に交差するように設けた一対の傾斜面３３ｄにより形成されている。なお、第１凸部３３ｂの上端位置を第２凸部３３ｃの上端位置より若干低く設定し、各第１起立片３３の後縁側から第２凸部３３ｃ、凹部３３ａ、第１凸部３３ｂの順に形成している。各第２起立片３４は、第１起立片３３と略同一形状をなし、その上端部に固定係合要素たる凹部３４ａを、部分円弧状の第１凸部３４ｂと第２凸部３４ｃとの間に形成し、各第２起立片３４の内側縁側から第２凸部３４ｃ、凹部３４ａ、第１凸部３４ｂの順に形成してある。
【００３０】
以上の構成を有するカバー受け部３の天板要素Ｔ１への取り付けは、天板要素Ｔ１の切欠部ＴＫとカバー受け部３のベース部３１に形成した切欠部３１Ｋとを一致させるようにして、天板要素Ｔ１の下面にカバー受け部３のベース部３１を重合し、ベース部３１に形成した各ボルト挿通孔３１ａに下方からボルトＢを天板要素Ｔ１の下面にねじ込むことにより行う。この取付状態において、カバー受け部３の各第１起立片３３及び第２起立片３４が切欠部３１Ｋの周縁に添うように配置されるとともに、カバー受け部３の突出片３２が切欠部ＴＫの内側へ水平に突出した位置に配置される（図３参照）。
【００３１】
しかして、天板要素Ｔ１の切欠部ＴＫに設けたカバー受け部３に配線カバー２を装着することにより本発明の配線カバー装置１が構成される。すなわち、この配線カバー装置１は、配線カバー２をカバー受け部３に載置し自重により支持させた状態で、配線カバー２が、カバー本体４の上板部４１が天板要素Ｔ１（天板Ｔ）の上面と略面一となり切欠部ＴＫに連通する配線空間ＤＳを閉止し得る倒伏姿勢（図２及び図９（ａ）参照、なお、図９は図２におけるＡ−Ａ線断面図である）と、その開放端側を天板要素Ｔ１（天板Ｔ）の上面よりも上方に突出させて前記配線空間ＤＳを開放し得る起立姿勢（同図（ｃ））と、倒伏姿勢と起立姿勢との間の略中間の回動姿勢である中間姿勢（同図（ｂ）とのいずれかを、天板要素Ｔ１（天板１）に対する回動動作を伴って選択的に取り得るように構成されることになる。また、配線カバー２を、天板Ｔに対する水平方向の装着角度を変更することで天板Ｔの前縁または後縁に向けて配線挿通路Ｓを開放し得る第１の装着態様２（Ｐ）（図２参照）と、天板Ｔの側縁に向けて配線挿通路Ｓを開放し得る第２の装着態様２（Ｑ）（後述する図１１参照）との何れかを選択してカバー受け部３に装着可能に構成している。なお、何れの装着態様２（Ｐ）、２（Ｑ）においても、概略正方形状の配線挿通路Ｓに２つの配線カバー２が収容できるように設定してあり、特に第１の装着態様２（Ｐ）において対向する各切欠部ＴＫに配線カバー２をそれぞれ収容した場合には、天板Ｔの前縁側及び後縁側にそれぞれ座席を配置したレイアウトの場合には、各座席のワーカーにとって使い勝手に優れたものとなる。
【００３２】
次に、第１の装着態様２（Ｐ）を採用した配線カバー装置１の操作方法及び作用を、図２、図９を参照して説明する。
【００３３】
先ず、天板要素Ｔ１の切欠部ＴＫの上方から、配線カバー２を突出片３２に載置することにより、前記配線カバー２が前記倒伏姿勢となる（図２、図９（ａ））。この倒伏姿勢において、裏当て部材５の後方延出片５３と第２垂下片５４の下端がカバー受け部３の突出片３２に当接し、配線カバー２の下方への脱落を防止している。このようにカバー受け部３の突出片３２が本発明の脱落防止部として機能している。また、倒伏姿勢において、第２垂下片５４の段部５４Ｄがカバー受け部３の第１起立片３３に設けた第１凸部３３ｂに当接又は近接し、より安定した載置状態となる。この倒伏姿勢において、配線カバー２の前縁に形成した操作部２ａと天板要素Ｔ１の切欠部ＴＫとの隙間を利用してコード類Ｃを挿通可能に設定している。そして、倒伏姿勢にある配線カバー２を前記中間姿勢とするには、配線カバー２の操作部２ａにワーカーが指を掛けて、カバー受け部３に設けた第１起立片３３の第１凸部３３ｂを支点に配線カバー２を天板要素Ｔ１の反使用縁Ｔ１ｂ側へ回動させる。配線カバー２の回動動作に伴って、裏当て部材５の第２垂下片５４に形成した段部５４Ｄがカバー受け部３の第１起立片３３に設けた凹部３３ａに係合するとともに、段部５４の近傍領域が傾斜面３３ｄに当接し、配線カバー２をカバー受け部３に対して略４５度の回動角度で一時的に静止させることにより配線カバー２が前記中間姿勢となる（同図（ｂ））。この中間姿勢において、切欠部ＴＫ及び切欠部ＴＫに連通する配線空間ＤＳを天板要素Ｔ１の使用縁Ｔ１ａ側に向けて半分開放した半開放状態となり、段部５４Ｄに重心を設定した配線カバー２は、この段部５４Ｄを凹部３３ａに係合させることによりバランスが取れた状態となる。このように、段部５４Ｄと凹部３３ａとにより、配線カバー２を倒伏姿勢と起立姿勢との間の所定の回動姿勢で一時的に静止させ得る本発明の静止手段を構成している。中間姿勢にある配線カバー２を前記起立姿勢とするには、カバー受け部３の第１起立片３３に形成した第２凸部３３ｃを支点として配線カバー２をさらに天板要素Ｔ１の反使用縁Ｔ１ｂ側へ回動させる。この回動動作に伴って配線カバー２の第２垂下片５４が第２凸部３３ｃに乗り移り、配線カバー２がベース部３１に対して略９０度の角度で起立した起立姿勢となる（同図（ｃ））。この起立姿勢において、配線カバー２を第２起立片３４に載置している。これにより切欠部ＴＫ及び切欠部ＴＫに連通する配線空間ＤＳが天板要素Ｔ１の使用縁Ｔ１ａ側、且つ上方に開放された状態となる。この起立姿勢への回動終端位置に位置する配線カバー２を、天板要素Ｔ１の使用縁Ｔ１ａ側へ倒れ込む操作力を付与することによって、中間姿勢又は倒伏姿勢に戻すことができる。すなわち、重心が段部５４Ｄの近傍に設定してあるので、中間姿勢においては、配線カバー２が倒伏姿勢または起立姿勢の何れの方向にも回動可能なシーソー動作を行う。その際、第１起立片３３が、配線カバー２の倒伏姿勢と中間姿勢または起立姿勢との間における回動動作の支点となる本発明の回動支持部として機能する。一方、起立姿勢にある配線カバー２は、天板要素Ｔ１（天板Ｔ）に近付ける方向に水平にスライド移動させることができ、カバー本体４の上板部４１がカバー受け部３の第１起立片３３に当接するとともに、第１起立片３３の上下端部が裏当て部材５の第２垂下片５４とカバー本体４の垂下片４２とによって挟持された状態となり、配線カバー２のそれ以上の回動動作が規制される（同図（ｄ））。また、配線カバー２は、何れの回動姿勢においてもカバー受け部３に載置した状態であり、配線カバー２を所定方向に移動させることによりカバー受け部３から取外し可能に設定してある。具体的には、前記倒伏姿勢を取る配線カバー２を上方へ移動させることによりカバー受け部３から取り外すことができ、前記起立姿勢を取る配線カバー２を天板要素Ｔ１（天板Ｔ）から離間する方向に水平にスライド移動させることによりカバー受け部３から取り外すことができる。また、前記中間姿勢を取る配線カバー２は、カバー本体４の上板部４１の上面に対する法線方向に沿って斜め上方に移動させることによりカバー受け部３から取り外すことができる。なお、図２に示すように、配線挿通路Ｓに前後に配線カバー２を収容した場合、各配線カバー２の動作及び操作方法は同じである。また、前後に対をなす天板要素Ｔ１の反使用端Ｔ１ｂ同士の間に間隙ＴＳが存在するため、それぞれの配線カバー２を同時に操作しても各配線カバー２が相互に干渉することがない。換言すれば、それぞれの配線カバー２を同時に操作しても各配線カバー２が相互に干渉しないように間隙ＴＳの幅を設定している。
【００３４】
また、本実施形態のテーブルＸは、反使用縁Ｔ１ｂ同士を対向配置した一対の天板要素Ｔ１の外側端部を跨ぐ位置に補助天板６を着脱可能に構成している。補助天板６は、天板Ｔの前後寸法に略対応した幅寸法を有する薄板状をなし、天板要素Ｔ１の側縁により構成される天板Ｘの側縁に前縁を対応させることでこの前縁を使用縁６ａとして利用可能なものである。補助天板６の反使用縁６ｂの略中央部に、各天板要素Ｔ１の切欠部ＴＫと略同一形状の切欠部６Ｋを形成している。この補助天板６を天板Ｔの側方から内方に向けてスライド移動させて天板Ｔに取り付けた状態において、補助天板６の切欠部６Ｋが一対の天板要素Ｔ１の切欠部ＴＫに一致する。そして、配線カバー２を、天板Ｔの側縁に向けて配線挿通路Ｓを開放し得る第２の装着態様２（Ｑ）を選択して、補助天板６の切欠部６Ｋを介して、一対の天板要素Ｔ１の切欠部ＴＫ間に架け渡すように収容し、天板Ｔの側縁、すなわち補助天板６の使用縁６ａに向けて配線挿通路Ｓを開放し得るように設定することにより、補助天板６の使用縁６ａ側を座席とするワーカーに対して配線カバー２に対する操作及び配線挿通路Ｓへのアクセスを容易なものとすることができる。この装着態様２（Ｑ）においては、配線カバー２は、各カバー受け部３に設けられ前後方向に対向配置された各第２起立片３４を支点として前記倒伏姿勢と中間姿勢または起立姿勢との間で回動動作を行う。この場合、第２起立片３４が回動支持部としての役割を担う。この装着状態における配線カバー装置１の操作方法及び作用は、カバー受け部３の第１起立片３３を支点として配線カバー２を回動させる前記装着態様２（Ｐ）と同様であるため、詳細な説明は割愛する。
【００３５】
このように、本実施形態に係る配線カバー装置１は、開閉操作可能な配線カバー２と、天板要素Ｔ１に形成した切欠部ＴＫに設けられ配線カバー２を脱着可能に支持するカバー受け部３とを備え、配線カバー２をカバー受け部３に載置し自重により支持させた状態で、この配線カバー２が、少なくとも倒伏姿勢と、起立姿勢とのいずれかを選択的に取り得るように構成しているため、配線カバー２を回動可能に支持するための支持軸を設ける必要がなく簡素な構造を用いることができる。その結果、製作工程の簡素化、コストの削減に資する。また、配線カバー２をカバー受け部３に載置しているだけであるため、配線カバー２の脱着作業を極めて簡単に行うことができる。さらに、倒伏姿勢及び起立姿勢において配線カバー２が自重により支持されているため、安定した装着状態を実現することができ、上記のような簡素な構造でありながら配線作業や、天板Ｔ（天板要素Ｔ１）上での作業に支障を来たすことはなく実用性に優れたものとなる。
【００３６】
配線カバー２を、カバー受け部３に対して回動可能に支持せさ、このカバー受け部３に、配線カバー２の倒伏姿勢と起立姿勢との間における回動動作の支点となる回動支持部として機能する第１起立片３３、第２起立片３４を設けているため、倒伏姿勢と起立姿勢との間における回動動作を安定かつスムーズなものとすることができる。
【００３７】
特に、配線カバー２のカバー受け部３に対する回動動作がシーソー動作を伴うものであるため、バランスを取りながら回動し、より安定した回動動作を実現することができる。
【００３８】
また、配線カバー２の倒伏姿勢と起立姿勢との間の回動方向と、配線カバー２を前記カバー受け部３から取り外す抜出方向とを異ならせているため、倒伏姿勢を取る配線カバー２を回動させて起立姿勢に位置させた場合に配線カバー２が抜出することを確実に防止することができる。
【００３９】
加えて、起立姿勢への回動終端位置に位置する配線カバー２を、カバー受け部３から取り外す方向とは逆の方向、すなわち、天板要素Ｔ１に近付ける方向にスライド移動させることにより、配線カバー２の倒伏姿勢への回動動作を規制するように構成しているため、簡単な操作で、起立姿勢を取る配線カバー２の回動動作を規制し、良好な起立姿勢を維持することが可能である。
【００４０】
さらに、天板Ｔ（天板要素Ｔ１）に、配線空間ＤＳに連通する配線挿通路Ｓを形成し、カバー受け部３に設けられ回動支持部としての役割を担う第１起立片３３、第２起立片３４を配線挿通路の一部を構成する切欠部ＴＫの周壁に沿った略板状のものとしているため、配線カバー２の安定した回動動作を実現するとともに、その配線カバー２の動作のための構成によっても配線挿通路Ｓが不当に狭められることがないようにすることが可能である。
【００４１】
加えて、配線カバー２を倒伏姿勢と起立姿勢との間の略中間位置である中間姿勢で一時的に静止させ得る静止手段を備えているため、倒伏姿勢と起立姿勢との２態様のみならず、その中間位置での配線カバーの回動姿勢を選択できるため、ワーカーの使用態様に対応させて配線カバーの回動姿勢を調節することができ、実用性に優れたものとなる。
【００４２】
上記実施態様においては、前記回動支持部たる第１起立片３３、第２起立片３４の一部を窪ませてなる凹部３３ａ、３４ａと、配線カバー２の第２垂下片５４に設けた段部５４Ｄとによって静止手段を構成しているため、静止手段を簡素な構成で実現することができるとともに、配線カバー２を回動させ段部５４Ｄを凹部３３ａ又は３４ａに係合させることにより配線カバー２を中間姿勢で静止させ得るように構成してため、簡単な操作で配線カバー２を中間姿勢に位置付けることができる。
【００４３】
また、配線カバー２を起立姿勢において回動支持部たる第１起立片３３又は第２起立片３４に載置するようにしているため、起立姿勢においても配線カバー２の脱落を有効に防止し、安定した支持状態を実現する。
【００４４】
一方、配線カバー２を倒伏姿勢において脱落防止部として機能する突出片３２に載置するようにしているため、倒伏姿勢における配線カバー２の脱落をも有効に防止し、良好な支持状態を実現する。さらに、脱落防止部として機能する突出片３２が、配線挿通路Ｓを塞ぐことがないように前記カバー受け部に一体に設けているため、配線挿通路Ｓが不当に狭められることがなく、突出片３２の存在自体が配線作業の弊害になることがない。
【００４５】
特に、配線カバー２に、一部を切り欠いてなる操作部２ａを設け、この操作部２ａを利用して配線カバー２を回動操作可能に構成するとともに、倒伏姿勢において操作部２ａを介してコード類が挿通し得るように構成しているため、配線カバー２の上面側に突出物を設けることなくその操作性を向上させるとともに、操作部２ａを利用して配線処理を行うことができ、部品点数の削減及びコストの削減に資する。
【００４６】
なお、本発明は、以上に詳述した実施形態に限られるものではない。
【００４７】
例えば、本発明の配線カバー装置は、上記実施形態のテーブル以外の天板付家具、例えば、デスクやワゴン等にも適用することはできる。また、「天板の下方に形成される配線空間」とは、配線ダクトの有無に関係なく、配線コード等のコード類を天板上から天板の下方へ直接コード類を引き落とす態様の場合には、天板下方の空間自体が配線空間となる。また、複数の天板要素を用いて構成される天板を有する家具に限らず、単一の天板を有する家具であってもよい。
【００４８】
また、カバー受け部として水平姿勢に設けた多角柱状の軸を用いて、この軸に載置可能な配線カバーと軸との相対位置を変化させることにより、配線カバーが倒伏姿勢と起立姿勢とを選択的に取り得るように構成してもよい。
【００４９】
上記実施形態における各起立片、突出片は、それぞれ回動支持部、脱落防止部の一例に過ぎず、回動支持部又は脱落防止部として機能するものであれば他の部材を用いて構わない。
【００５０】
さらに、静止手段により静止する所定の回動姿勢は、倒伏姿勢と起立姿勢とのちょうど中間位置となる中間姿勢とは限らず、他の任意の回動姿勢であってもよい。また、配線カバーが静止する位置が２箇所以上となるように構成しても構わない。これによって、配線カバーの回動姿勢の選択の幅が増え、ワーカーのニーズに柔軟に対応することができる。
【００５１】
静止手段を構成する固定係合要素と可動係合要素とが凹凸係合により係合するものに限らず、例えば、一方が係合孔であり他方が係合孔に係合可能な係合爪又は係合軸等であっても好適に適用することができる。また、各係合要素として相互に噛合可能な部材を採用してもよい。
【００５２】
また、配線挿通路は、配線空間に連通するものであればよく、例えば天板を肉厚方向に貫通してなる貫通孔や、スリット等であっても構わない。
【００５３】
その他、各部の具体的構成についても上記実施形態に限られるものではなく、本発明の趣旨を逸脱しない範囲で種々変形が可能である。
【図面の簡単な説明】
【００５４】
【図１】本発明の一実施形態に係る配線カバー装置を適用したデスクを一部省略して示す全体斜視図。
【図２】図１の要部拡大平面図。
【図３】同実施形態に係る配線カバー装置を一部分解した状態で示す全体斜視図。
【図４】同実施形態に係る配線カバーの分解斜視図。
【図５】同実施形態におけるカバー本体を示す図。
【図６】同実施形態における裏当て部材を示す図。
【図７】同実施形態における配線カバーを示す図。
【図８】同実施形態におけるカバー受け部を示す図。
【図９】作用説明図。
【図１０】図１のデスクに補助天板を取り付けた状態を示す全体斜視図。
【図１１】図１０の要部拡大平面図。
【符号の説明】
【００５５】
１…配線カバー装置
２…配線カバー
２ａ…操作部
３…カバー受け部
３２…脱落防止部（突出片）
３３…回動支持部（第１起立片）
３４…回動支持部（第２起立片）
Ｃ…コード類
ＤＳ…配線空間
Ｔ…天板
Ｓ…配線挿通路
Ｘ…天板付家具（デスク）
【図１】
2005102927.tif 000003
【図２】
2005102927.tif 000004
【図３】
2005102927.tif 000005
【図４】
2005102927.tif 000006
【図５】
2005102927.tif 000007
【図６】
2005102927.tif 000008
【図７】
2005102927.tif 000009
【図８】
2005102927.tif 000010
【図９】
2005102927.tif 000011
【図１０】
2005102927.tif 000012
【図１１】
2005102927.tif 000013